(57)【要約】【課題】躯体側に支持するブラケットを手動式用のままにした状態で、電動式のシャッター装置の巻取り装置を軸承させる構成とするにあたり、簡単かつ容易に取付けられるように構成する。【解決手段】電動式巻取り装置３を構成するドラム８の一端部に電動開閉機５を相対回動自在に内装し、該電動開閉機ケーシング５ａの一端部に副連結部材１０を設ける一方、ブラケット２ａに、該ブラケット２ａの固定軸支持部２ｂよりも内方に位置し、ブラケット２ａ面と平行となる取付け片部９ａを備えた主連結部材１０を設け、主連結部材１０の取付け片部１０ａに、副連結部材１０を固定することにより、巻取り装置３をブラケット２ａに支持させる構成とする。【選択図】        図２
2004257167.tif 000002
【特許請求の範囲】
【請求項１】
ドラムと該ドラムを回動自在に軸承する固定軸とを備えた手動式の巻取り装置の固定軸を係止固定する固定軸支持部が形成された手動式巻取り装置用のブラケットに、ドラムの一端部に電動開閉機が相対回動自在に内装された電動式巻取り装置を支持するにあたり、前記ブラケットには、固定軸支持部の内方側に位置してブラケット面と平行となる取付け片部を有した主連結部材を固定する一方、ドラムから突出する電動開閉機の一端部には、主連結部材の取付け片部に固定手段を介して固定される副連結部材が固定されている建築用開閉装置の巻取り装置。
【請求項２】
請求項１において、取付け片部には、ブラケットの固定軸支持部に係止固定される軸部が一体的に設けられている建築用開閉装置の巻取り装置。
【請求項３】
請求項１または２において、副連結部材には、主連結部材に仮保持するための係止片が形成されている建築用開閉装置の巻取り装置。
【請求項４】
請求項１、２または３において、ドラムから突出する電動開閉機には、開閉装置の開閉位置を設定する位置設定用スイッチが設けられるものとし、副連結部材には、位置設定用スイッチを押し操作するためのレバー片が設けられている建築用開閉装置の巻取り装置。
【請求項５】
ドラムと該ドラムを回動自在に軸承する固定軸とを備えた手動式の巻取り装置の固定軸を係止固定する固定軸支持部が形成された手動式巻取り装置用のブラケットに、電動開閉機の駆動に基づいて回動するドラムを有した電動式巻取り装置を支持するにあたり、前記ブラケットには、固定軸支持部の内方側に位置してブラケット面と平行な取付け片部を有した連結部材を固定し、前記取付け片部に、電動開閉機と、該電動開閉機の出力軸に連動するスプロケットとを設け、ドラムの一端面とスプロケットとのあいだに回り止め状に係合する係合手段を設けた建築用開閉装置の巻取り装置。
【請求項６】
請求項５において、取付け片部には、ブラケットの固定軸支持部に係止固定される軸部がスプロケットと同芯状に設けられている建築用開閉装置の巻取り装置。
【請求項７】
請求項５または６において、取付け片部には、軸部と同芯状の支軸がドラム側に突設され、該支軸に、ドラムを軸承する固定軸が嵌着するように構成されている建築用開閉装置の巻取り装置。
【請求項８】
請求項５、６または７において、係合手段は、スプロケットに形成された係合突起を、ドラムの一端面に開設した凹部に嵌着するように構成されている建築用開閉装置の巻取り装置。
【発明の詳細な説明】
【０００１】
【発明の属する技術分野】
本発明は、建築物の開口部等に設けられる建築用開閉装置の巻取り装置の技術分野に属するものである。
【０００２】
【従来の技術】
一般に、この種建築用開閉装置において、開口部を開閉する開閉体を例えばシャッターカーテンとした所謂シャッター装置とした場合、シャッターカーテンを巻装する巻取り装置を開口部上方に設け、巻取り装置の正逆回動に伴いシャッターカーテンが開口部の開閉を行うようにしたものがある。このようなものにおいて、シャッターカーテンの開閉を手動で行う手動式のシャッター装置では、図１１（Ａ）に示すように、巻取り装置２５を、シャッターカーテンの上端縁部が連結されるドラム２５ａと、該ドラム２５ａがホイール２５ｂを介して回動自在に軸承される固定軸２５ｃと、ドラム２５ａ（ホイール２５ｂ）と固定軸２５ｃとのあいだに配されるバランス弾機２５ｄとを備えて構成し、前記固定軸２５ｂの左右両端部を、躯体開口部上方に設けられたブラケット２ａに固定することで躯体側への支持をしている。そしてこの場合に、図２に示すように、ブラケット２ａの内側面に、固定軸２５ｃの端部を係止するＵ字形の固定軸支持部２ｂが内方に向けて突出形成されたものになっている。
一方、巻取り装置に電動モータを備えた電動開閉機を連動連結し、電動開閉機の駆動力によりドラムを回動させる電動式のシャッター装置とした場合、これが例えば図１１（Ｂ）に示すように、巻取り装置３としてドラム８の一端部に電動開閉機５が収容（内装）されたものである場合、巻取り装置８の一端部は、ドラム８端部から電動開閉機５を構成するケーシング５ａの一端部を躯体側のブラケットに直接固定支持されるように構成されている。また、ドラム内に電動開閉機が収容されない構成のものである場合、ブラケットには、電動開閉機とともに、該電動開閉機により回動するスプロケットが設けられることになり、何れの場合であっても、ブラケットは手動式のものと電動式のものとでは別のものが用いられている。このため、従来、手動式のシャッター装置が既設されているところに、電動開閉機が内装された電動式のシャッター装置を取付けようとした場合、手動式用のブラケットを取外して電動式用のブラケットに取換える必要があった。
しかるに、ブラケットの取換え作業は躯体側の工事を含む作業となるため、取換え作業が困難であり改善が求められていた。そこで、手動式のブラケットをそのまま利用する構成とし、巻取り装置のドラムの一端部に、該ドラムに連動連結する電動系駆動ユニットを組込み、該電動系駆動ユニットを、ブラケットに設けた電動開閉機側の部材に連動連結させるようにしたものが提唱されている（例えば、特許文献１参照。）。
【０００３】
【特許文献１】
特許第３３４７８５５号公報
【０００４】
【発明が解決しようとする課題】
ところで、前記特許文献１のものにおいて、電動系駆動ユニットは、部品点数が多いうえ、これらの部品は、ブラケットに支持されている既設の巻取り装置に付加する状態で取付ける構成となっているので、部品点数が多い分、取付け作業の工程数が多くなって作業が煩雑になってしまうばかりでなく、長い時間高所作業を強いられるという問題があり、これらに本発明が解決しようとする課題があった。
【０００５】
【課題を解決するための手段】
本発明は、上記の如き実情に鑑み、これらの課題を解決することを目的として創作されたものであって、ドラムと該ドラムを回動自在に軸承する固定軸とを備えた手動式の巻取り装置の固定軸を係止固定する固定軸支持部が形成された手動式巻取り装置用のブラケットに、ドラムの一端部に電動開閉機が相対回動自在に内装された電動式巻取り装置を支持するにあたり、前記ブラケットには、固定軸支持部の内方側に位置してブラケット面と平行となる取付け片部を有した主連結部材を固定する一方、ドラムから突出する電動開閉機の一端部には、主連結部材の取付け片部に固定手段を介して固定される副連結部材が固定されているものである。
そして、このようにすることにより、ブラケットに主連結部材を設ける一方、電動式の巻取り装置に副連結部材を設けておくことで、手動式用のブラケットをそのまま用いることが可能となって、取換え作業を簡単かつ容易に行うことができる。
このものにおいて、本発明の取付け片部には、ブラケットの固定軸支持部に係止固定される軸部が一体的に設けられているものとすることができ、このようにすることにより、主連結部材を介してブラケットに作用する負荷が分散状になって、ブラケットの強度を相対的に高めることができる。
さらに、このものにおいて、本発明の副連結部材には、主連結部材に仮保持するための係止片が形成されているものとすることができ、このようにすることにより、副連結部材を主連結部材に仮保持させた状態でこれらの部材の固定をすることができて、作業性の向上が図れる。
また、このものにおいて、本発明のドラムから突出する電動開閉機には、開閉装置の開閉位置を設定する位置設定用スイッチが設けられるものとし、副連結部材には、位置設定用スイッチを押し操作するためのレバー片が設けられているものとすることができ、この様にすることにより、位置設定がやりやすく、操作性の向上が計れる。
また、本発明は、ドラムと該ドラムを回動自在に軸承する固定軸とを備えた手動式の巻取り装置の固定軸を係止固定する固定軸支持部が形成された手動式巻取り装置用のブラケットに、電動開閉機の駆動に基づいて回動するドラムを有した電動式巻取り装置を支持するにあたり、前記ブラケットには、固定軸支持部の内方側に位置してブラケット面と平行な取付け片部を有した連結部材を固定し、前記取付け片部に、電動開閉機と、該電動開閉機の出力軸に連動するスプロケットとを設け、ドラムの一端面とスプロケットとのあいだに回り止め状に係合する係合手段を設けたものである。
そして、このようにすることにより、ブラケットに連結部材を設け、電動式の巻取り装置を連結部材のスプロケットと係合させることで電動式の巻取り装置を取付けることができ、手動式用のブラケットをそのまま用いることが可能となって、取換え作業を簡単かつ容易に行うことができる。
このものにおいて、本発明の取付け片部には、ブラケットの固定軸支持部に係止固定される軸部がスプロケットと同芯状に設けられているものとすることができ、このようにすることにより、連結部材を介してブラケットに作用する負荷が分散状になって、ブラケットの強度を相対的に高めることができる。
さらに、このものにおいて、本発明の取付け片部には、軸部と同芯状の支軸がドラム側に突設され、該支軸に、ドラムを軸承する固定軸が嵌着するように構成されているものとすることができ、このようにすることにより、連結部材と巻取り装置との連結を確実かつ堅固なものにすることができる。
また、このものにおいて、本発明の係合手段は、スプロケットに形成された係合突起を、ドラムの一端面に開設した凹部に嵌着するように構成されているものとすることができ、このようにすることにより、嵌め込むだけの簡単な操作で巻取り装置を連結部材に連結することができる。
【０００６】
【発明の実施の形態】
次に、本発明の第一の実施の形態を図１〜図６の図面に基づいて説明する。
図面において、１は住宅の窓部（躯体開口部）に設けられたシャッター装置のシャッターカーテン１であって、該シャッターカーテン１は、複数枚のスラット１ａを上下方向に連綴して構成されている。そして、シャッターカーテン１は、上端縁部が開口部上方の躯体側に設けたシャッターケース２内に回動自在に収容された巻取り装置３に連結され、該巻取り装置３に巻取られて開口部を開放する全開姿勢と、巻取り装置３から巻出されて開口部を閉鎖する全閉姿勢とのあいだを変姿するように設定されている。
尚、シャッターカーテン１は、左右両側縁部が開口部の左右両側に立設されたガイドレール４に嵌合して移動案内されるように設定されており、これらの基本構成は何れも従来通りの構成となっている。
【０００７】
ところで、前記シャッター装置としては、シャッターカーテン１を手動で開閉する手動式用のものと、巻取り装置３に電動開閉機５が連繋され、該電動開閉機５の駆動力に基づいて巻取り装置３が回転駆動（回動）してシャッターカーテン１の開閉作動を自動的に行うようにした電動式のものとがあり、本実施の形態では、手動式のシャッター装置が取付けられていた開口部に、電動式のシャッター装置が取付けられている。
つまり、シャッターケース２を構成する左右一対のブラケット２ａは、互いに対向する内側面に、Ｕ字形の固定軸支持部（ポケット）２ｂが内側に向けて突出する状態で一体的に設けられた手動式（手動式巻取り装置２５）用のブラケット２ａに構成されている。尚、前記ブラケット２ａの固定軸支持部２ｂには、図１１（Ａ）に示す手動式巻取り装置２５の固定軸２５ｃの端部が嵌合係止し、該固定軸２５ｃと固定軸支持部２ｂとに形成された螺子孔２５ｅ、２ｃを連通する状態に位置合せしめ、これら螺子孔２５ｅ、２ｃにボルトＢを緊締することにより、固定軸２５ｃがブラケット２ａに固定されるように構成されている。
【０００８】
一方、巻取り装置３は、左右方向（軸方向）一端部（図２において左側）に電動モータを備えた電動開閉機５が配された電動式のものに構成されており、該電動開閉機５のケーシング５ａ一端側の外周には、該ケーシング５ａに対して相対回動自在な状体で従動ホイール６が外嵌されている。さらに、ケーシング５ａの他端側外周には駆動ホイール６ａが回動自在に外嵌されているが、該駆動ホイール６ａは、ケーシング５ａの他端側から突出する出力軸５ｂに連動連結されている。さらに、巻取り装置３は、左右方向他端側に位置して、電動開閉機出力軸５ｂと同芯となる関係で固定軸７が設けられ、該固定軸７の外周に、左右一対の従動ホイール６が回動自在に外嵌されている。そして、これら各ホイール６、６ａは、これらの外周に嵌着された長筒状のドラム８により一体的に連動連結され、これによって、各ホイール６、６ａとドラム８とが固定軸７と電動開閉機５に対して回動自在となるように構成され、前記ドラム８に、シャッターカーテン１の上縁部が連結されている。このように構成された巻取り装置３は、電動開閉機５の回動が、出力軸５ｂ、駆動ホイール６ａを経由してドラム８を回動せしめ、該回動に基づいて、シャッターカーテン１の開閉がなされるように構成され、このような基本的な構成は、電動開閉機内装型の巻取り装置として一般的な構成となっている。尚、７ａはホイール６と固定軸７とのあいだに介装され、シャッターカーテン１を開放する側に向けて付勢された付勢弾機である。
【０００９】
９は、左右方向一端側（左側）のブラケット２ａの固定軸支持部２ｂ形成部位に設けられる主連結部材であって、該主連結部材９は、矩形状の取付け片部９ａと、該取付け片部９ａの前後縁部からブラケット２ａ側に向けて折曲された前後一対の支持片部９ｂとを備えて構成されおり、平面視で略コ字形状になるように形成されている。そして、前記取付け片部９ａの略中央部には、支持片部９ｂの延出方向に向けて軸部９ｃが設けられているが、該軸部９ｃは、溶着等による固着手段により取付け片部９ａに一体的に固着されている。このように形成された主連結部材９は、固定軸支持部２ｂを跨ぐような状態でブラケット２ａに取付けられ、軸部９ｃをブラケット２ａの固定軸支持部２ｂに係止させ、支持片部９ｂをブラケット２ａに突当てて螺子止めすることにより、ブラケット２ａに固定されるように設定されている。そして、この取付け状態において、取付け片部９ａは、固定軸支持部２ｂの内方側に位置し、かつ、ブラケット２ａの面と平行な位置関係となるように設定されている。さらに、この取付け状態において、主連結部材軸部９ｃは、ブラケット２ａの固定軸支持部２ｂに係止されており、これによって、主連結部材９に作用する荷重は、支持片部９ｂにおける連結部と軸部９ｃにおける係止部とを介し、ブラケット２ａ側に対して分散状に作用するように設定されている。
【００１０】
１０は、巻取り装置３のドラム８から突出する電動開閉機５のケーシング５ａの一端部に取付けられる副連結部材であって、該副連結部材１０は、平板状の本体部１０ａと、該本体部１０ａの上縁部から、ケーシング５ａ取付け側とは反対の下方に向けて折返すことで形成された折返し係止片部１０ｂとを備えて形成されている。そして、連結部材１０は、本体部１０ａをケーシング５ａの一端側の面部に突当てて、螺子止めすることによりケーシング５ａに固定されている。
ここで、電動開閉機５には、シャッターカーテン１の全閉、全開を検知するための一対のリミット手段が内蔵されており、該リミット手段の位置設定はシャッター装置の設置時に行われるが、該設定は、ケーシング５ａの一端部に設けられたリミットスイッチ（位置設定用スイッチ）１１を押し操作することに基づいてなされるように構成されている。ところが、ケーシング５ａの一端部に副連結部材１０を取付けることにより、リミットスイッチ１１の配設部位のスペースが左右方向に幅狭となり、押し操作がやりにくくなる場合がある。そこで、本実施の形態のものでは、副連結部材１０の前縁部に、スイッチ操作具１２が設けられており、副連結部材１０の前方に突出する操作レバー（レバー片）１２ａを操作することでリミットスイッチ１１の操作ができるように設定されている。
【００１１】
そして、電動式の巻取り装置３を、手動式巻取り装置用のブラケット２ａに取付ける場合では、右側の固定軸７を他端側（右側）ブラケット２ａの固定軸支持部２ｂに係止せしめ、左側の副連結部材１０の係止片部１０ａを、ブラケット２ａ側に設けた主連結部材９の取付け片部の上縁部に係止せしめることにより、巻取り装置３を左右のブラケット２ａに仮保持させた状態とし、この仮保持状態において、固定軸７の螺子孔７ｂと、固定軸支持部２ｂの螺子孔２ｃとを位置合せし、ボルト１０により締結することで固定軸７と固定軸支持部２ｂとの固定がなされている。さらには、副連結部材１０と主連結部材９との固定がなされるが、本実施の形態における固定手段としては、螺子１３を用いて固定されるように設定されている。
さらに、本実施の形態において、電動開閉機５から引出される外部電源接続用の配線コード５ｃは、副連結部材１０に切欠かれた切欠き孔１０ｃ、主連結部材９に切欠かれた切欠き孔９ｆを介してブラケット２ａ側に引出すように設定されている。
【００１２】
このように構成したシャッター装置において、ブラケット２ａには固定軸支持部２ｂを跨ぐような状態で主連結部材９が設けられるため、シャッターカーテン１のカーテン幅が手動式の巻取り装置としたときよりも幅狭となる。そこで、これに対応するべく、本実施の形態では、ガイドレール４の構成をつぎのようにしている。
つまり、既存のガイドレール４のガイド溝４ａに平面視コ字形状の長尺体１４を固定し、該長尺体１４の開口側に位置する底片部１４ａに、新規に設置されるシャッターカーテン１のカーテン幅に対応する補助ガイドレール１５の底片１５ａが螺子１５ｂを用いて固定され、これによって、カーテン幅の変更に対応したガイドレール４となるようにしている。
【００１３】
叙述の如く構成された本発明の実施の形態において、手動式の巻取り装置が設けられていた箇所に、電動式の巻取り装置を取付ける場合に、該電動式の巻取り装置３を躯体側に支持するためのブラケット２は、手動式のときのものがそのまま用いられており、ブラケット２ａをわざわざ取外したり、ブラケット２ａに必要な部材を別途新たに取付けたりする作業を不要とすることができる。しかもこの場合に、電動開閉機５がドラム８に内装された電動式の巻取り装置３の、ドラム８の一端部から突出する電動開閉機５のケーシング５ａ一端面に副連結部材１０を取付ける一方、該側のブラケット２ａに、固定軸支持部２ｂ部位を跨ぐようにして主連結部材９を設けて、主連結部材９に副連結部材１０を固定させる作業を行うことにより、手動式の巻取り装置用のブラケット２ａに電動式の巻取り装置３を取付けることができる。
この結果、手動式から電動式にするためには、予め電動式の巻取り装置用として汎用されているドラム８に電動開閉機５が内装された巻取り装置３を用意し、該巻取り装置３のドラム８から突出するケーシング５ａの一端面に副連結部材９を固定する一方、該側のブラケット２ａに主連結部材１０を固定することで対応できることになって、手動から電動への取換え作業を簡単かつ容易にすることができる。しかもこの場合に、ブラケット２ａへの巻取り装置３の取付け作業として、主、副連結部材９、１０の固定作業をすればよいことになって、高所作業を最小限にすることができ、現場での作業性を向上させることができる。
【００１４】
しかも、本発明が実施されたものにおいて、主連結部材９の取付け片部９ａには、ブラケット２ａの固定軸支持部２ｂに係止固定される軸部９ｃが一体的に設けられており、ブラケット２ａと主連結部材９とは、支持片部９ｂによるブラケット２ａへの支持固定がなされているだけでなく、軸部９ｃによる固定軸支持部２ｂへの係止がなされている。このため、主連結部材９を介してブラケット１ａに作用する巻取り装置３の負荷は、支持片部９ｂおよび軸部９ｃを介する分散状態となって作用することになり、ブラケット２ａの強度を相対的に高めることができる。
【００１５】
さらにこのものでは、副連結部材１０に係止片部１０ｂが形成されており、主連結部材９に副連結部材１０を連結固定する場合に、予め係止片部１０ｂを主連結部材取付け片部９ａの上縁部に係止することにより、これらの部材を仮保持状態とすることができる。この結果、連結部材９と副連結部材１０との固定手段を前記仮保持させた状態において実施することができ、固定作業を簡単かつ容易に行うことができ、作業性の向上が図れる。
【００１６】
また、このものにおいて、ドラム８に電動開閉機５が内装されるが故に、電動開閉機ケーシング５ａの一端部に副連結部材１０を固定してしまうと、電動開閉機５のリミット手段の設定がやりにくくなってしまうことが想定されるが、このものでは、前述したように、リミットスイッチ１１を副連結手段１０の前方の空きスペースから操作するためのスイッチ操作具１２が設けられていて、該スイッチ操作具１２の操作レバー１２ａを操作することによりリミットスイッチ１１の押し操作を行うことができるため、リミット手段の設定操作がしやすく、操作性に優れたものとすることができる。
【００１７】
尚、本発明は前記実施の形態に限定されないことは勿論であって、図７、８、９に示す第二の実施の形態のように構成することも可能である。
第二の実施の形態のものは、手動式シャッター装置の設置箇所に、前記第一の実施の形態のように、電動開閉機をドラムに内装する電動式の巻取り装置を取付けるのではなく、電動開閉機１６を躯体側に固定するタイプの電動式の巻取り装置１７を取付ける場合の一例である。
この場合に、一方のブラケット２ａ（本実施の形態では、図８（Ａ）において左側のブラケット）に連結部材１８を予め取付けるが、該連結部材１８は略コ字状に折曲形成されており、矩形状の取付け片部１８ａと、該取付け片部１８ａの上下縁部からブラケット２ａ側に向けて折曲された上下一対の支持片部１８ｂとを備えて形成されている。そして、前記取付け片部１８ａの一側部（ブラケット２ａへの取付け状態において後方）には、支持片部１８ｂの延出方向に向けて軸部１８ｃが設けられているが、該軸部１８ｃは、溶着、絞り加工等により取付け片部１８ａと一体化されるように形成されている。
【００１８】
さらに、連結部材取付け片部１８ａには、軸部１８ｃ形成部位に位置し、軸部１８ｃとは反対側、即ち、内方側に突出する状態で支軸部（本発明の支軸）１８ｄが設けられており、該支軸部１８ｄの外周に、従動側スプロケット（本発明のスプロケットに相当）１９が回動自在に外嵌されている。前記従動側スプロケット１９は、内方側円板面１９ａの径方向に対向する二箇所に内方に突出する係合突片１９ｂがそれぞれ一体形成されている。さらに、連結部材取付け片部１８ａの他側部（ブラケット２ａへの取付け状態において前方）には、開閉機取付け台１６ａが設けられ、ここに、電動開閉機１６が取付けられている。そして、電動開閉機１６の出力軸１６ｂは、取付け台１６ａを貫通して外方に突出しており、該突出端部に駆動側スプロケット１６ｃが設けられるが、該駆動側スプロケット１６ｃは、前記従動側スプロケット１９と左右方向略同位置となる位置関係で配設されており、これらスプロケット１９、１６ｃのあいだに駆動チエン２０が懸回され、該駆動チエン２０を介して駆動側スプロケット１６ｃの正逆回動が従動側スプロケット１９に動力伝動されるように設定されている。
そして、連結部材１８のブラケット２ａへの取付けは、軸部１８ｃを固定軸支持部２ｂに係止せしめる一方、支持片部１８ｂをブラケット２ａに螺子止めすることで固定されており、連結部材１８のブラケット２ａへの支持は支持片部１８ｂおよび軸部１８ｃとによりなされるように設定されている。
【００１９】
一方、前記巻取り装置１７は、固定軸２１と、複数のホイール２２と、これらホイール２２の外周に外嵌する長筒状のドラム２３と、該ドラム２３とホイール２２とのあいだに介装されたコイル弾機２３ａとを備えて構成されている。そして、固定軸２１は、前記巻取り装置１７の他端側においては該側のホイール２２よりも外方に突出しているが一端側（左側）においては該側の一端側ホイール２２ａから突出することはないように構成されている。さらに、一端側ホイール２２ａの一端面には、前記従動側スプロケット１９の円板面１９ａに突設された一対の係合突片１９ｂがそれぞれ嵌合係止するための係合孔（本発明の凹部に相当）２２ｂが径方向に対向する二箇所において開設されている。さらに、前記一端側の固定軸２１ａはパイプ状に形成されており、連結部材１８の支軸部１８ｄに嵌着する内径に設定されている。
【００２０】
そして、このように形成された巻取り装置１７を、手動式の巻取り装置用のブラケット２ａに取付ける場合では、前述したように、予めブラケット２ａに電動開閉機１６および従動側スプロケット１９付きの連結部材１８を取付け、巻取り装置１７の一端側の固定軸２１ａを、連結部材支軸部１８ｄに嵌着せしめるとともに、ホイール係合孔２２ｂに従動側スプロケット係合突片１９ｂを係合嵌着せしめる。一方、固定軸２１の他方側の突出端部を他方側のブラケット２ａの固定軸支持部２ｂに係合せしめそれぞれの螺子孔２１ｂ、２ｃを連通せしめボルトＢによる締結により固定する。これによって、巻取り装置１７一端側と連結部材１８との連動連結、巻取り装置１７他端側とブラケット２ａとの連結がなされ、手動式から電動式への変更ができるように構成されている。そして、この場合でも、手動式用のブラケット２ａをそのまま用い、このものに連結部材１８を取付け、該連結部材１８に対して巻取り装置１７を嵌め込む作業を行うことで手動式から電動式に交換することができ、高所作業を少なくなしえて、しかも、作業性よく取換え作業を行うことができる。
さらに、本実施の形態においても、連結部材１８に軸部１８ｃが設けら固定軸支持部２ｂに係止されているため、連結部材１８が受ける荷重を、ブラケット２ａの支持片部１８ｂ固定部の他、固定軸支持部２ｂにおいても受けることになって、ブラケット２ａの強度を相対的に高めることができる。
【００２１】
さらにこのように構成したものでは、連結部材軸部１８ｃと同芯状に形成された支軸部１８ｄが巻取り装置１７側に突設されており、該支軸部１８ｄに一端側の固定軸２１ｃが嵌着する構成となっているので、連結部材１８と巻取り装置１７との連結が該支軸部１８ｄにおける嵌着による連結と、スプロケット１９における係合とになって、より確実でかつ堅固なものになる。
しかも、このものにおいて、スプロケット１９とドラム２３との連結は、スプロケット１９に形成された係合突起１９ｂを、ドラム２３と一体の一端側のホイール２２ａに開設した係合孔２２ｂに嵌着することで成されるので、巻取り装置１７と連結部材１８とは、嵌め込むだけの簡単な操作で連結することができて、さらなる作業性の向上が計れる。
【００２２】
さらに、ガイドレールをシャッターカーテンのカーテン幅に対応するものに変更した例として、図１０の第三の実施の形態のようにすることができる。このものは、予め取付けられているガイドレール２４に下地枠部２４ａが一体的に形成されたものになっており、この場合でも、ガイドレール２４のガイド溝２４ｂに平面視コ字形状の長尺体１４を固定し、該長尺体１４の開口側に位置する底片部１４ａに、新規に設置されるシャッターカーテン１のカーテン幅に対応する新規ガイドレール１５の底片１５ａを螺子１５ｂを用いて固定することにより、カーテン幅に対応したガイドレール２４とすることができる。
【図面の簡単な説明】
【図１】シャッターカーテンの概略正面図である。
【図２】巻取り装置の正面図である。
【図３】図３（Ａ）、（Ｂ）はそれぞれ図２（Ａ）のＸ−Ｘ断面図、ガイドレール部の断面図である。
【図４】巻取り装置のブラケットへの支持状態を説明する分解斜視図である。
【図５】図５（Ａ）、（Ｂ）、（Ｃ）、（Ｄ）はそれぞれ主連結部材の正面図、側面図、背面図、図５（Ｂ）のＸ−Ｘ断面図である。
【図６】図６（Ａ）、（Ｂ）はそれぞれ副連結部材の背面図、側面図である。
【図７】第二の実施の形態における巻取り装置のブラケットへの支持状態を説明する分解斜視図である。
【図８】図８（Ａ）、（Ｂ）はそれぞれ第二の実施の形態の巻取り装置の正面図、図８（Ａ）のＸ−Ｘ断面図である。
【図９】図９（Ａ）、（Ｂ）、（Ｃ）はそれぞれ第二の実施の形態の連結部材の側面図、正面図、底面図である。
【図１０】第三の実施の形態のガイドレール部の構成を説明する断面図である。
【図１１】図１１（Ａ）、（Ｂ）はそれぞれ手動式の巻取り装置の正面図、電動式の巻取り装置の正面図である。
【符号の説明】
１    シャッターカーテン
２    シャッターケース
２ａ    ブラケット
２ｂ    固定軸支持部
３    巻取り装置
５    電動開閉機
５ａ    ケーシング
８    ドラム
９    主連結部材
９ａ    取付け片部
９ｃ    軸部
１０    副連結部材
１０ｂ    折返し係止片部
１１    リミットスイッチ
１２    スイッチ操作具
【図１】
2004257167.tif 000003
【図２】
2004257167.tif 000004
【図３】
2004257167.tif 000005
【図４】
2004257167.tif 000006
【図５】
2004257167.tif 000007
【図６】
2004257167.tif 000008
【図７】
2004257167.tif 000009
【図８】
2004257167.tif 000010
【図９】
2004257167.tif 000011
【図１０】
2004257167.tif 000012
【図１１】
2004257167.tif 000013